(57)【要約】【課題】一見して従来の眼鏡と形状が変わらず、さらに利用時に切り換え操作が不要である弱視者用眼鏡を提供する。【解決手段】フレーム部に固定され装着時に装着者の顔前に位置する矯正レンズと、フレーム部又は矯正レンズに設けられ顔前方向を近接撮影可能な撮像カメラと、撮像カメラより得られた撮像を映像出力する液晶表示部と、液晶表示部に着設された非球面拡大レンズとを備えた弱視者用眼鏡を提供する。【選択図】  図１
2007328071.tif 000002
【特許請求の範囲】
【請求項１】
フレーム部に固定され、当該フレーム部装着時に装着者の顔前に位置する矯正レンズと、
上記フレーム部又は矯正レンズに設けられ、顔前方向を近接撮影可能な撮像カメラと、
上記撮像カメラより得られた撮像を映像出力する液晶表示部と、
上記液晶表示部に着設された非球面拡大レンズと、
を備えた弱視者用眼鏡。
【請求項２】
上記液晶表示部及び比球面拡大レンズよりなる表示ユニットが、上記矯正レンズとは重ならない位置に設けられた請求項１に記載の弱視者用眼鏡。
【請求項３】
上記フレームが、上記矯正レンズを固定する左右二つのリムと、一端の智により当該リムを顔前に位置させると共に他端を装着者の耳上部に固定するテンプルとよりなる場合、
上記液晶表示部及び比球面拡大レンズよりなる表示ユニットが、上記智に設けられた請求項２に記載の弱視者用眼鏡。
【請求項４】
上記フレームが、上記矯正レンズを固定する左右二つのリムと、一端の智により当該リムを顔前に位置させると共に他端を装着者の耳上部に固定するテンプルとよりなる場合、
上記液晶表示部及び比球面拡大レンズよりなる表示ユニットが、上記リムの上部又は下部に設けられた請求項２に記載の弱視者用眼鏡。
【請求項５】
上記撮像カメラは、ピントを合わせ可能な最短距離である最短焦点距離が少なくとも１０ｃｍより短い請求項１〜４のいずれかに記載の弱視者用眼鏡。
【請求項６】
上記フレームが、上記矯正レンズを固定する左右二つのリムと、一端の智により当該リムを顔前に位置させると共に他端を装着者の耳上部に固定するテンプルとよりなる場合、
上記撮像カメラは、テンプルに内蔵して設けられ、当該テンプルの長手方向に焦点調節構造を有する請求項１〜５のいずれかにに記載の弱視者用眼鏡。
【請求項７】
さらに、上記撮像カメラの接写機能と、ズーム機能とを切り替える切り換えスイッチを有する請求項６に記載の弱視者用眼鏡。
【請求項８】
上記液晶表示部及び比球面拡大レンズよりなる表示ユニットが、上記フレーム部に付設された補助アームに固設されるとともに、上記補助アームは、フレームの付設点を軸として可動することで、上記表示ユニットを装着者の顔前に位置させる請求項１に記載の弱視者用眼鏡。
【発明の詳細な説明】
【技術分野】
【０００１】
本発明は、弱視者の視力矯正をサポートする弱視者用眼鏡に関する。
【背景技術】
【０００２】
従来、通常のレンズを用いた視力の矯正では十分に視力を得ることができない弱視者は、対象物を顔前数センチ程度の位置に近づけることで、拡大して対象物を見ていた。また、拡大鏡を対象物に近接させ、あるいは複数のレンズを組み合わせて構成される大型の単眼鏡をもちいることで、対象物を拡大して見ていた。
【０００３】
さらに、特開平９−１９２１６４号公報には、ＴＶカメラと、矯正レンズの視点方向前方に液晶ディスプレイと液晶ディスプレイとを用いた弱視者用眼鏡装置に関する技術が開示されている。この技術では、ＴＶカメラが捕らえた画像を処理した後液晶ディスプレイに表示することで、周囲の相互関係を瞬間的に認識させることができるとしている。
【特許文献１】特開平９−１９２１６４号公報
【発明の開示】
【発明が解決しようとする課題】
【０００４】
上述したように、弱視者が例えば新聞などの対象物を見る際には、遠視や近視、或いは遠近両用の矯正レンズを備えた眼鏡をかけ、対象物を当該矯正レンズに近接させることでその対象物を拡大する必要がある。弱視者にもよるがこの近接距離は約５〜１０ｃｍ程度である。このため、弱視者が対象物を見る際には、不自然な格好を強制されるのである。また、遠方にある対象物を見る場合にはそばに近づく必要があり、障害物などがあればその対象物を見ることができなかった。そして、矯正レンズを利用せずに遠方にある対象物を見る場合には、例えば上記単眼鏡を利用する必要があるが、単眼鏡自体が非常に大きいため、持ち運びや装着が面倒であった。
【０００５】
さらに、上記引用文献に記載の技術でも、その装置は大型であるとともに、利用時には矯正レンズの視野に液晶ディスプレイを配置する必要があり、対象物を見るための切り換え操作を行う必要があった。
【０００６】
従って本発明は、上記従来の事情に基づいて提案されたものであって、一見して従来の眼鏡と形状が変わらず、さらに利用時に切り換え操作が不要である弱視者用眼鏡を提供することを目的とする。
【課題を解決するための手段】
【０００７】
本発明は、上記目的を達成するために以下の手段を採用している。即ち、本発明は、フレーム部に固定され装着時に装着者の顔前に位置する矯正レンズと、フレーム部又は矯正レンズに設けられ顔前方向を近接撮影可能な撮像カメラと、撮像カメラより得られた撮像を映像出力する液晶表示部と、液晶表示部に着設された非球面拡大レンズとを備えた弱視者用眼鏡とする。
【０００８】
この構成では、対象物を、顔に近接させること無く自然な状態で見ることができる。
【０００９】
また、表示ユニットを矯正レンズとは重ならない位置に設けることで、歩行時などの通常時には装着者は従来どおり、自らに合った矯正レンズを介して目的とする対象物を見ることが可能である。そして、新聞等の対象物をより細部まで見る必要がある場合などには、撮像カメラを介して対象物を見る必要があり、この場合には、視点を表示ユニットに向けることで、撮像カメラを介して得た映像を見ることが可能である。
【００１０】
矯正レンズとは重ならない位置として、智やリムの上下が挙げられる。
【００１１】
さらに、撮像カメラをテンプルに内蔵して設けられ、当該テンプルの長手方向に焦点調節構造を有する構成がある。
【００１２】
この構成では、焦点調節構造に必要なスペースとして、テンプルの内部を利用することが可能となり、ズーム機能による視点方向の長さを弱視者用眼鏡の形状として吸収可能となる。これにより弱視者用眼鏡の外観が不自然になることなく、ズーム機能を実現できる。
【００１３】
また、液晶表示部及び比球面拡大レンズよりなる表示ユニットがフレーム部に付設された補助アームに固設されるとともに、補助アームはフレームの付設点を軸として可動することで表示ユニットを装着者の顔前に位置させる構成とすることもできる。
【００１４】
この構成では、撮像カメラを介した映像を長時間見る場合の目の疲れを軽減することができる。
【発明の効果】
【００１５】
本発明に係る弱視者用眼鏡においては、対象物を、顔に近接させること無く自然な状態で見ることができる。
【００１６】
また、表示ユニットを矯正レンズとは重ならない位置に設けることで、視点を切り替えるのみで撮像カメラを介して得た映像を見ることが可能となる。
【００１７】
さらに、撮像カメラをテンプルに内蔵して設けることで、これにより弱視者用眼鏡の外観が不自然になることなく、ズーム機能を実現できる。
【００１８】
またさらに、補助アームを利用することで、撮像カメラを介した映像を長時間見る場合の目の疲れを軽減することができる。
【発明を実施するための最良の形態】
【００１９】
以下、添付図面を参照して、本発明の実施の形態につき説明し、本発明の理解に供する。尚、以下の実施の形態は、本発明を具体化した一例であって、本発明の技術的範囲を限定する性格のものではない。
【００２０】
図１は、本発明に係る弱視者用眼鏡の概略外観図である。また、図２は、弱視者用眼鏡の上方概観図（ただし装着者の右眼球も描画）である。また、図３は、表示ユニットと装着者の眼球との位置関係を示した図である。さらに図４は、テンプルと撮像カメラの位置関係を示した図であり、図５は、アームを装着した際のイメージの一例である。
【００２１】
図１に示す弱視者用眼鏡１００は、左右の矯正レンズ１０４と、フレーム部より構成される。また、当該フレーム部は、上記矯正レンズ１０４を固定している左右のリム１０１を接続するブリッジ１０２と、眼鏡を鼻にあてて支える役割を果たすパッド１０３と、一端の智１１２によりリム１０１を顔前に位置させると共に他端を装着者の耳上部に固定するテンプル１０５とを備えている。上記矯正レンズ１０４は、弱視者にあわせて遠視用レンズ、近視用レンズ、遠近両用レンズ、或いは紫外線透過防止レンズなどが用いられる。また、上記パッド１０３が無い眼鏡や、リム１０１ではなく矯正レンズ１０４自体を接続したブリッジ１０２が用いられることもある。なお、図１において、テンプル１０５の耳上に乗せる他端は省略している。
【００２２】
本発明に係る弱視者用眼鏡１００には、さらに装着者が装着した際に顔前方向（装着者の顔が向いている方向）を近接撮影可能な撮像カメラ１１０と、表示ユニット２０１（２０２）とを備えている。上記表示ユニット２０１は、図３に示すように、上記撮像カメラ１１０の映像を出力する液晶表示部３０１と、当該液晶表示部３０１に着設された非球面拡大レンズ３０２とよりなる。また、上記撮像カメラ及び液晶表示部３０１の動作のための電源を供給するバッテリー２０３が、左右のうちどちらかの智１１２に備えられている（図２においては左の智１１２）。また、上記バッテリー２０３が備えられた智とは逆の智１１２には、上記撮像カメラ１１０の接写機能とズーム機能を切り替える切り換えスイッチ２０４、２０５が配置される。
【００２３】
さて、このようなにおいて、弱視者が弱視者用眼鏡１００を利用する際、テンプル１０５の他端を耳の上部に乗せ、パッド１０３を鼻の上部に乗せることで、当該弱視者用眼鏡１００を従来の眼鏡と同様にかける。そして装着者は、弱視者用眼鏡１００の図示しないスイッチをオンにすることで、バッテリー２０３から撮像カメラ１１０、液晶表示部３０１に電源が供給される。
【００２４】
電源が供給されると、上記撮像カメラ１１０は装着者の顔前方向を撮影し、当該撮影により得られた撮像は液晶表示部３０１に出力される。ここで、上記液晶表示部３０１には、非球面拡大レンズ３０２が着設されており、表示された撮像は、非球面拡大レンズ３０２から例えば１２ｍｍ〜１５ｍｍの距離（図３の３０３）にある角膜にて正常に認識される。
【００２５】
上記撮像カメラ１１０は、解像度が３０万画素程度から利用可能である。また、人が新聞などを読む場合には眼球（角膜）から１０ｃｍ以上５０ｃｍの範囲に新聞を配置するのが一般的である。このため、この範囲でピントが合う必要があり、即ち最短焦点距離が少なくとも１０ｃｍ以内である、マクロ撮影対応の撮像カメラが好適である。さらに、上記非球面拡大レンズは直径が１０ｍｍ〜１５ｍｍの円形のものが利用できる。
【００２６】
上記のように構成された弱視者用眼鏡１００において、表示ユニット２０１は、矯正レンズとは重ならない位置に配置されることが好ましい。ここにいう重ならない位置とは、装着者が正面を見た際に、瞳孔と矯正レンズとを結んだライン上に位置しない場所を言う。弱視者用眼鏡１００では、表示ユニット２０１を、リム１０１とテンプル１０５とを結合する智１１２の内側（顔側）に設ける構成とする（図２）。
【００２７】
表示ユニット２０１を智１１２の内側に設けることで、歩行時などの通常時には装着者は従来どおり、自らに合った矯正レンズ１０４を介して目的とする対象物を見ることが可能である。そして、新聞等の対象物をより細部まで見る必要がある場合などには、撮像カメラ１１０を介して対象物を見る必要があり、この場合には、視点を智１１２に向けることで、撮像カメラ１１０を介して得た映像を見ることが可能である。この構成では、撮像カメラ１１０を介した映像を見る場合であっても、視点の位置を変えるのみでよい。
【００２８】
なお、表示ユニット２０１は、眼球の中心部と矯正レンズの中心とを結ぶ線分と、眼球の中心部と表示ユニット２０１の中心とを結ぶ線分とが成す角度θが４５度以内となる位置に設置されることが好ましい。角度が大きすぎると視点の移動による疲れが大きくなるからである。θが２０度以内であると、目の疲労がほとんど無く好適である。
【００２９】
また、図２の表示ユニット２０２に示すように、表示ユニットの位置を矯正レンズとは重ならないリムの上部１１３や下部に設ける構成としても良い。この構成でも、視点の位置を変えるのみで撮像カメラ１１０を介した映像を見ることができる。
【００３０】
また、弱視者が遠方の対象物を見るために、撮像カメラ１１０にズーム機能を備える構成にしても良い。この場合、撮像カメラの視点方向の長さが長くなる問題が発生する。この問題を解決するために、図４に示すように、撮像カメラ１１０をテンプル１０５（智を含む）に内蔵する構成としている。ズーム機能を実現するためのレンズ構成やレンズの駆動構造、即ち焦点調節構造に必要なスペースとして、テンプルの内部４０１を利用することが可能となり、ズーム機能による視点方向の長さを弱視者用眼鏡の形状として吸収可能となる。これにより弱視者用眼鏡１００の外観が不自然になることなく、ズーム機能を実現できる。この構成では、テンプル１０５の上部または下部に撮像カメラの接写機能とズーム機能とを切り替えるスイッチ２０４、２０５を備えている。
【００３１】
上記構成により、自然な外観でズーム機能を実現することができる。なお、ズーム機能にて得られた撮像も、装着者は表示ユニット２０１を介して目の前の対象物と同様に見ることが可能である。
【００３２】
また、視点を長時間移動する際には目が疲れるため、図５に示す補助アーム５０１を備える構成としても良い。表示ユニット２０１が、フレーム部に付設された補助アーム５０１に固設される構成とし、補助アーム５０１は、フレームの付設点５０３から長手方向を軸中心として回動可能５０２とすることで、表示ユニットを装着者の顔前に位置させることができる。これにより、撮像カメラ１１０を介した映像を長時間見る場合の目の疲れを軽減することができる。
【００３３】
なお、表示ユニットは、左右独立しても受けても良いし、左右のどちらか一方に設けるのみでも良い。一方にのみ設けることで、立体映像に関する複雑な処理が不要となる。
【００３４】
また、バッテリーを眼鏡の智に配置する構成としたが、電源は必ずしも眼鏡に設ける必要はなく、装着者が眼鏡とは独立した持ち運び可能な携帯電源を保持し、当該携帯電源より電源ラインを介して眼鏡に電源を供給するように構成しても良い。
【００３５】
また、マイクを設け、撮像カメラから得られた映像と、マイクより得られた音声とを同期して記録する構成としても良い。
【図面の簡単な説明】
【００３６】
【図１】本発明に係る弱視者用眼鏡の概略外観図。
【図２】弱視者用眼鏡の上方概観図。
【図３】表示ユニットと装着者の眼球との位置関係を示した図。
【図４】テンプルと撮像カメラの位置関係を示した図。
【図５】アームを装着した際のイメージの一例。
【符号の説明】
【００３７】
１００  弱視者用眼鏡
１０１  リム
１０２  ブリッジ
１０３  パッド
１０４  矯正レンズ
１０５  テンプル
１１０  撮像カメラ
１１２  智
１１３  リム上部
２０１  表示ユニット
２０３  バッテリー
２０４  接写機能スイッチ（切り換えスイッチを構成）
２０５  ズーム機能スイッチ（切り換えスイッチを構成）
３０１  液晶表示部
３０２  非球面拡大レンズ
５０１  補助アーム
【図１】
2007328071.tif 000003
【図２】
2007328071.tif 000004
【図３】
2007328071.tif 000005
【図４】
2007328071.tif 000006
【図５】
2007328071.tif 000007